(57)【要約】      （修正有）【課題】人の成長過程または経時的変化、または怪我などの物理的変化による認証率の低下を回避するバイオメトリック認証方法を提供する。【解決手段】予め生体データを読み取り、登録データとして登録し、現データを前記登録データと照合して行う本人認証時に、規定期間または規定回数を過ぎている場合、本人認証の成功時の認証データで登録データを更新する【選択図】図１
2018005329.tif 000002
【特許請求の範囲】
【請求項１】
予め生体データを読み取り、登録データとして登録し、
現データを前記登録データと照合して行う本人認証時に、規定期間を過ぎている場合、本人認証の成功時の認証データで登録データを更新することを特徴とするバイオメトリック認証方法。
【請求項２】
現データを前記登録データと照合して行う本人認証時に、規定期間を過ぎている場合、本人認証の失敗時の認証データおよびエラーコードをデータベースに保存する請求項１に記載のバイオメトリック認証方法。
【請求項３】
本人認証の成功時および失敗時の認証データをそれぞれシステム管理者に通知する請求項１または２に記載のバイオメトリック認証方法。
【請求項４】
予め生体データを読み取り、登録データとして登録し、
登録後、認証成功毎に規定の回数分の認証データを保存してデータベースを作成し、
現データを前記登録データと照合して行う本人認証時に認証失敗となる場合、次に前記データベースとの照合を行い、認証成功となったデータをシステム管理者へ通知するバイオメトリック認証方法。
【発明の詳細な説明】
【技術分野】
【０００１】
本開示は、本人認証におけるバイオメトリック認証方法に関する。
【背景技術】
【０００２】
従来、他人によるなりすまし等を防止する認証方法として、バイオメトリック認証（生体認証）が使用されている。このバイオメトリック認証は、例えば指紋、顔、掌紋、静脈、声紋、光彩、網膜などの予め初期登録した本人データを基準として、現在のデータと照合し、認証を行うものであり、暗証番号やパスワードに比べてセキュリティが強化される。例えば、特許文献１には、予め登録した登録画像と検査対象の画像との間で、画像の一致または不一致の判定を行う画像照合装置が記載されている。この照合装置では、一致の判定結果が得られた際、判定時の情報を記憶し、この情報に基づいて、対応する登録画像を再登録するか、あるいは再登録を使用者に促している。
【０００３】
しかしながら、人は成長過程または経時的変化、または怪我などの物理的変化により、認証に大きく影響が出る場合があり、初期登録したデータでは、認証精度が著しく低下してしまう。そのため、たとえ一致の判定結果が出た画像データとの照合であっても、時間遷移と共に認証率が低下し、認証できなくなる事もある。
【先行技術文献】
【特許文献】
【０００４】
【特許文献１】特開平１０−１８７９８７号公報
【発明の概要】
【０００５】
本開示のバイオメトリック認証方法は、予め生体データを読み取り、登録データとして登録し、現データを前記登録データと照合して行う本人認証時に、規定期間を過ぎている場合、本人認証の成功時の認証データで登録データを更新する。
【０００６】
本開示のバイオメトリック認証方法は、予め生体データを読み取り、登録データとして登録し、登録後、認証成功毎に規定の回数分の認証データを保存してデータベースを作成し、現データを前記登録データと照合して行う本人認証時に認証失敗となる場合、次に前記データベースとの照合を行い、認証成功となったデータをシステム管理者へ通知する。
【図面の簡単な説明】
【０００７】
【図１】本開示のバイオメトリック認証方法の一実施形態の流れを示すフローチャートである。
【図２】本開示のバイオメトリック認証方法の別の一実施形態の流れを示すフローチャートである。
【図３】本開示のバイオメトリック認証方法のさらに別の実施形態の流れを示すフローチャートである。
【発明を実施するための形態】
【０００８】
本開示のバイオメトリック認証方法の一実施形態を図１に基づいて説明する。本開示の認証方法は、いくつかのステップ（以下、Ｓと表記）を踏まえて実行される。
まず、生体データを各種機器にて読み取り（Ｓ１０１）、この生体データを登録データとしてデータベースに登録する（Ｓ１０２）。読み取る生体データとしては、例えば、指紋、顔、掌紋、静脈、声紋、光彩、網膜などが挙げられる。なお、本開示の認証方法は、生体データを１種類以上読み取って適用してもよく、例えば、顔画像と声紋を読み取ることにより、より本人認証の正確性を向上させてもよい。また、データベースは、Wi-FiやBluetooth（登録商標）やイーサネット（登録商標）などのネットワークにより、認証を行う機器と接続され、データが送受信されるもの（例えば、コンピュータのサーバ）であり、認証は予めプログラムされたコンピュータにより自動的に行われるのがよい。
【０００９】
次に、現在の生体データ（現データ）を各種機器にて読み取り（Ｓ１０３）、Ｓ１０２で登録した登録データと照合する（Ｓ１０４）。この照合とは、現データと登録データとの画像や音声などの一致を指す。なお、この一致は必ずしも完全で無くてもよい。
Ｓ１０４にて、照合された現データが認証に成功した場合、Ｓ１０２の登録データの登録時期から、規定期間を過ぎているかを確認する（Ｓ１０５）。この規定期間は、システム管理者などが予め設定する期間であり、例えば、１時間、１日、１週間、３ヶ月、６ヶ月、１年など適宜設定される。この規定期間を過ぎている場合、Ｓ１０２で登録したデータベース上の登録データが、Ｓ１０３で読み取られたデータで更新される（Ｓ１０６）。すなわち、次回、認証を行う場合、Ｓ１０４で照合されるデータは、Ｓ１０６にて更新されたデータとなる。また、規定期間を過ぎていない場合、登録データは現在の状態のまま更新されず認証が完了する（Ｓ１０８）。
また、Ｓ１０４にて本人認証が失敗した場合、エラーとして終了する（Ｓ１０９）。この場合、使用者は生体データの読み取り（Ｓ１０３）を再度行ってもよい。
【００１０】
Ｓ１０６にて、規定期間を過ぎて更新された登録データは、次の規定期間の起点となる。すなわち、次回認証を行う場合、Ｓ１０５にて確認される規定期間は、Ｓ１０６で更新されたデータの登録時点を起点（更新日）として計算される。さらに、この規定期間を過ぎた場合は、次の認証成功時の新たなデータの登録時点が更新日となる。
また、Ｓ１０６にて規定期間を過ぎて更新された登録データは、その後システム管理者に、データの更新が通知されるか、あるいはログ（記録）として通知してもよい（Ｓ１０７）。これにより、システム管理者はデータの更新の状況を知ることができる。
【００１１】
（別の実施形態）
本開示のバイオメトリック認証方法の別の実施形態を図２に基づいて説明する。なお、上記した図１と同じステップには同符号を付け説明は省略する。
【００１２】
図２に示すように、まず、生体データを各種機器にて読み取り（Ｓ１０１）、この生体データを登録データとしてデータベースに登録（Ｓ１０２）した後、現在の生体データ（現データ）を読み取り（Ｓ１０３）、Ｓ１０２で登録した登録データと照合する（Ｓ１０４）。
【００１３】
Ｓ１０４にて、照合された現データが認証に失敗した場合、Ｓ１０２の登録データの登録時期から、規定期間を過ぎているかを確認する（Ｓ２０５）。この規定期間を過ぎている場合、規定期間を過ぎている旨などのエラー内容が使用者に通知され（Ｓ２０６）、エラーとして終了する（Ｓ２０７）。また、Ｓ２０５にて、認証時のデータが規定期間を過ぎていない場合は、登録データと一致しないなどのエラーの理由から、エラーとして終了する（Ｓ２０８）。なお、このエラーの理由としては、例えば、顔認証であれば輪郭が一致しない、眼鏡や眼帯、マスクなどの装着により顔のデータが一致しないなどが挙げられる。
【００１４】
Ｓ２０７またはＳ２０８にて、エラーとして終了した場合、システム管理者に、エラーの理由、エラーコードおよび認証率などがＳ２０９で通知され、認証方法のシステム改善のために活かされる。エラーコードとは、処理においてエラーが発生した場合にエラーの種類や内容を表した番号や記号のことを指す。Ｓ２０７のエラーコード０２は、規定期間を過ぎていて認証失敗を指し、Ｓ２０８のエラーコード０１は、規定期間内だが登録データと一致せず認証失敗を指している。また、エラーのデータはデータベースに蓄積されてもよい。
【００１５】
図２に示す認証方法では、Ｓ１０４にて照合された現データが認証に成功した場合、認証は完了する（Ｓ２１０）。なお、この場合、登録データが規定期間を過ぎているかを確認し（Ｓ１０５）、登録データの更新（Ｓ１０６）など、図１に示すＳ１０５〜Ｓ１０８のステップを行ってもよい。反対に、図１に示すＳ１０４のステップで認証を失敗した場合、図２のＳ２０５以降のステップを行ってもよい。
【００１６】
（さらに別の実施形態）
本開示のバイオメトリック認証方法のさらに別の実施形態を図３に基づいて説明する。なお、上記した図１および２と同じステップには同符号を付け説明は省略する。
【００１７】
図３に示すように、まず、生体データを各種機器にて読み取り（Ｓ１０１）、この生体データを登録データとしてデータベースに登録（Ｓ１０２）した後、現在の生体データ（現データ）を読み取り（Ｓ１０３）、Ｓ１０２で登録した登録データと照合する（Ｓ１０４）。
【００１８】
Ｓ１０４にて、照合された現データが認証に成功した場合、認証成功毎に読み取ったデータは規定回数分（Ｄ１、Ｄ２、Ｄ３、・・・Ｄｎ）が、サーバなどのデータベースに保存される。読み取ったデータを保存する際に、この規定回数分を超えた場合は既に保存されているデータが順に最新のデータに上書きされ（Ｓ３０５）、認証が完了する。規定回数は特に限定されず、システム管理者が適宜設定すればよい。また、保存されているデータが上書きされる順序としては、例えば、古い日付順、照合使用回数順、照合の一致率の低い順などが挙げられるが、システム管理者が任意に設定できる。
【００１９】
Ｓ１０４にて、照合された現データが認証に失敗した場合、規定の回数分保存されているデータベースから過去の認証成功時の読み取りデータ（Ｄ１、Ｄ２、Ｄ３、・・・Ｄｎ）との照合が行われる（Ｓ３０６）。Ｓ３０６にて、認証が成功した場合、認証完了となり、データベース中の過去の認証成功時の読み取りデータのうち、どのデータにより認証が成功したのかをシステム管理者に通知するか、あるいはログを取る（Ｓ３０７）。この場合、照合に用いたＳ１０３で読み取ったデータは、データベースに保存されず、データベース中のデータの更新は行われない。なお、Ｓ３０６にて認証が失敗した場合、エラーによる終了となる（Ｓ３０８）。
【００２０】
さらに、図１および２にて認証に用いる規定期間と、図３にて用いる規定回数とを併用して使用してもよい。例えば、Ｓ１０４にて認証成功したデータのうち、予め設定した規定期間を過ぎていた場合のみ、認証成功時のデータを規定回数分データベースに上書き保存（Ｓ３０５）することで、規定期間に関わらず規定回数分を上書き保存するよりもデータベースの容量の増加を抑え、認証率を向上させることができる。
【００２１】
上記した本開示のバイオメトリック認証方法は、バイオメトリック認証を行える機器や装置であれば適用でき、例えば金融機関のＡＴＭ、入退室の管理、クレジットカードの決済などの本人認証に用いられ、認証が成功した場合にのみ機器を利用することができる。
【００２２】
以上、詳細に説明したように、本開示によれば、本人認証を行うバイオメトリック認証方法において、初期登録データの登録後、規定期間を過ぎた場合には、認証成功時に、そのデータで初期登録データを更新している。そのため、使用者に成長過程または経時的変化、または怪我などの物理的変化があっても、時間遷移に応じて登録データを更新しているので、認証に大きく影響が出ることはなく、認証率が低下することはない。
また、本開示によれば、初期登録データの登録後、認証成功毎に規定の回数分の認証データを保存してデータベースを作成し、現データを登録データと照合して行う本人認証時に認証失敗となる場合、次にデータベースとの照合を行い、認証成功となったデータをシステム管理者へ通知する。そのため、認証成功および失敗の理由をシステム管理者に通知してシステム改善を促し、バイオメトリック認証の認証率を向上させることができる。
【図１】
2018005329.tif 000003
【図２】
2018005329.tif 000004
【図３】
2018005329.tif 000005